(57)【要約】【課題】  外部環境によって着座部であるサドル本体１０の温度が上昇されにくい自転車用サドル１を提供すること。【解決手段】  ベース部材２と、前記ベース部材２に重ね合わされる透明又は半透明なクッション材３と、前記クッション材３を被覆する透明又は半透明なカバー部材４とから構成されており、前記ベース部材２の表面に、鏡面反射層２０を形成させた自転車用サドル。【選択図】  図２
0003102506.tif 000002
【実用新案登録請求の範囲】
【請求項１】
ベース部材と、前記ベース部材に重ね合わされる透明又は半透明なクッション材と、前記クッション材を被覆する透明又は半透明なカバー部材とからなり、
前記ベース部材の表面には、鏡面反射層が形成されることを特徴とする自転車用サドル。
【請求項２】
請求項１に記載の自転車用サドルにおいて、
前記鏡面反射層は、前記ベース部材の表面に鏡面反射可能な素材を塗装又は蒸着若しくはメッキすることで形成されることを特徴とする自転車用サドル。
【請求項３】
請求項１に記載の自転車用サドルにおいて、
前記ベース部材は、着座部を構成するベース本体と、前記鏡面反射層が表面に形成された鏡面反射シートとからなることを特徴とする自転車用サドル。
【請求項４】
請求項３に記載の自転車用サドルにおいて、
前記ベース本体と鏡面反射シートとの間には、補助クッション材が挿入されていることを特徴とする自転車用サドル。
【請求項５】
ベース部材と、前記ベース部材に重ね合わされる透明又は半透明なクッション材と、前記クッション材を被覆する透明又は半透明なカバー部材とからなり、
前記クッション材は、前記ベース部材に蓄積された熱を外部に放熱させることが可能な熱伝導性を有する物質からなることを特徴とする自転車用サドル。
【請求項６】
透明又は半透明なベース部材と、前記ベース部材に重ね合わされる透明又は半透明なクッション材と、前記クッション材を被覆する透明又は半透明なカバー部材とからなることを特徴とする自転車用サドル。
【請求項７】
請求項１から６のいずれかに記載の自転車用サドルにおいて、
前記クッション材はゲル状物質からなることを特徴とする自転車用サドル。
【請求項８】
請求項１から７のいずれかに記載の自転車用サドルにおいて、
前記クッション材は、少なくとも水と同じ程度の屈折率を有することを特徴とする自転車用サドル。
【請求項９】
請求項１から８のいずれかに記載の自転車用サドルにおいて、
前記クッション材は、複数の透明又は半透明の部材が重ね合わされた多層構造を有することを特徴とする自転車用サドル。
【請求項１０】
請求項１から９のいずれかに記載の自転車用サドルにおいて、
前記カバー部材は、前記ベース部材の縁部に位置する部分が厚肉となっていることを特徴とする自転車用サドル。
【請求項１１】
請求項１から１０のいずれかに記載の自転車用サドルにおいて、
前記クッション材又はカバー部材は、着色されていることを特徴とする自転車用サドル。
【考案の詳細な説明】
【技術分野】
【０００１】
本考案は、自転車用サドルに関するものである。特に、太陽光や外気温等の外部環境による自転車用サドルの高温化の防止に関するものである。
【背景技術】
【０００２】
自転車用サドルは、図８に示されるように、着座部であるサドル本体１０と自転車本体にサドル本体１０を取り付けるための取付け部材５とからなっており、一般的なサドル本体１０は、荷重を支持するベース部材２と、前記カバー部材２の表面に重ね合わされるクッション材３と、前記クッション材３を被覆するカバー部材４とから構成されている。前記クッション材３は、高い弾性力を有する合成樹脂製の多孔質材からなり、前記カバー部材４は、摩擦などによって破損されにくい耐久性の高いシート材からなっている。
【０００３】
前記クッション材３は、多孔質材の孔内に保持される空気によって柔軟性を発揮するものであるから、保温性に優れており、太陽光や外気温等により保持された空気が熱せられることで前記クッション材３内の温度が上昇され易い。さらに、前記クッション材３はカバー部材４によって被覆されており、前記クッション材３に蓄積された熱が外部に放熱されにくい構成となっているから、例えば、炎天下に自転車を放置した場合、自転車用サドル１が外気温以上に高温化されてしまうという問題がある。
このような自転車用サドル１の高温化を防止する方法としては、前記クッション材３やカバー部材４に通気性が高い素材や熱を蓄積しにくい素材や色彩、デザイン等を採用するといったものがある。
【考案の開示】
【考案が解決しようとする課題】
【０００４】
しかしながら、上記サドル本体１０は、高い保温性を有するクッション材３を前記ベース部材２とカバー部材４とによって挟持した構造となっているから、前記クッション材３に蓄積された熱を特別な冷却手段を用いることなく外部に放熱させることは困難である。また、自転車は使用者が駆動源となって走行させるものであるから、走行時にはペダルの回転運動により使用者自身が発熱しこれが自転車用サドル１に伝達されるため、より一層自転車用サドル１の温度が上昇されることとなる。
【０００５】
そのため、乗車時において既に温度が上昇している自転車用サドル１に乗車すると、前記自転車用サドル１との接触部が熱く、そのまま乗車を続けると蒸れてきたりするため、乗車感が悪い。また、炎天下に長時間にわたって自転車を放置した場合には、自転車用サドル１の温度が非常に高くなることがあり、高温化した自転車用サドル１への乗車によって股間部分が熱されることで健康が害されることも懸念される。
本考案は、上記事情を鑑みてなされたものであり、外部環境によって着座部であるサドル本体の温度が上昇されにくい自転車用サドルを提供することを課題とする。
【課題を解決するための手段】
【０００６】
（１）請求項１に係る考案の自転車用サドルは、『ベース部材と、前記ベース部材に重ね合わされる透明又は半透明なクッション材と、前記クッション材を被覆する透明又は半透明なカバー部材とからなり、前記ベース部材の表面には、鏡面反射層が形成される』ことを特徴とするものである。
これによれば、太陽光は、透明又は半透明のクッション材とカバー部材に吸収されることなく透過されるから、太陽光の光エネルギーが前記クッション材に熱として蓄積されにくい。
【０００７】
そして、前記透明又は半透明なカバー部材とクッション材を透過した太陽光は、前記ベース部材の鏡面反射層において反射されると共に、地面等の照り返しや外気温による輻射熱も前記鏡面反射層において反射されるから、前記ベース部材にも熱が蓄積されにくい。
また、鏡面反射層に映り込む景色等の像は、自転車の置かれた環境や周囲の動静によって多様に変化される。
【０００８】
（２）請求項２に係る考案の自転車用サドルは、『前記鏡面反射層は、前記ベース部材の表面に鏡面反射可能な素材を塗装又は蒸着若しくはメッキすることで形成される』ことを特徴とする。これによれば、後述の請求項３の鏡面反射シートを被覆させるものに比べて、前記サドル本体を構成する部材数が少なく構造が簡単であると共に、前記鏡面反射シートの撚れやシワによって前記ベース部材に映り込んだ像が乱れることがない。
【０００９】
（３）請求項３に係る考案の自転車用サドルは、『前記ベース部材は、着座部を構成するベース本体と、前記鏡面反射層が表面に形成された鏡面反射シートとからなる』ことを特徴とする。これによれば、前述の請求項２の前記ベース本体に直に鏡面反射率の高い素材を積層する場合のように、前記ベース部材の材質によって塗装材等の成分を調整したり、塗装等の方法を変更したりする必要がない。
【００１０】
（４）請求項４に係る考案の自転車用サドルは、『前記ベース本体と鏡面反射シートとの間には、補助クッション材が挿入されている』ことを特徴とする。これによれば、前記クッション材に加えて前記補助クッション材が積層されることで、サドル本体の緩衝作用が向上するから、自転車用サドルのクッション性及び衝撃吸収性が高くなる。
【００１１】
（５）請求項５に係る考案の自転車用サドルは、『ベース部材と、前記ベース部材に重ね合わされる透明又は半透明なクッション材と、前記クッション材を被覆する透明又は半透明なカバー部材とからなり、前記クッション材は、前記ベース部材に蓄積された熱を外部に放熱させることが可能な熱伝導性を有する物質からなる』ことを特徴とする。
これによれば、太陽光が吸収されることなく前記クッション材及びカバー部材を透過するから、太陽光の光エネルギーが熱として蓄積されにくい。また、前記クッション材の熱伝導性により太陽光や地面等の照り返し、外気温等によって前記ベース部材に蓄積された熱を効率よく外部へと放熱することができるから、前記ベース部材に蓄積される熱を小さく抑えることができる。
【００１２】
（６）請求項６に係る考案の自転車用サドルは、『透明又は半透明なベース部材と、前記ベース部材に重ね合わされる透明又は半透明なクッション材と、前記クッション材を被覆する透明又は半透明なカバー部材とからなる』ことを特徴とする。
これによれば、サドル本体が完全に透明又は半透明となるから、自転車用サドルを通して反対側の風景やベース部材と自転車本体との連結部を透視することができる。また、太陽光が吸収されることなく前記カバー部材、クッション部材、ベース部材すべてを透過するから、サドル本体に太陽光の光エネルギーが熱として蓄積されにくい。
【００１３】
（７）請求項７に係る考案の自転車用サドルは、『前記クッション材はゲル状物質からなる』ことを特徴とする。これによれば、前記ゲル状物質は外力により容易に変形されるから、使用者の着座時に前記クッション材が前記使用者の着座部の形状に沿って変形して、前記使用者を安定的に支持することができる。
また、前記ベース部材に密着した状態で重ね合わされるから、前記ベース部材とクッション部材との接触面積が大きく、前記ベース部材に蓄積された熱を効率よく外部へと放熱することができる。
ここで、前記ゲル状物質とは、流動体として定義されるゲルに限定されるものではなく、前記ゲルと同じような性質を有する低硬度で外力により容易に変形し得る物質全体を示すものである。例えば、前述のゲルやシリコン樹脂、ゴム等の物質がこれに含まれる。
【００１４】
（８）請求項８に係る考案の自転車用サドルは、『少なくとも水と同じ程度の屈折率を有する』ことを特徴とする。これによれば、前記クッション材における屈折により、前記ベース部材に形成された鏡面反射層に映り込む周囲の景色等の像や、前記ベース部材の表面に施されたデザインや模様が歪曲されるから、見る角度や方向によって自転車用サドルの外観がより複雑に変化される。
【００１５】
（９）請求項９に係る考案の自転車用サドルは、『前記クッション材は、複数の透明又は半透明の部材が層状に重なり合った多層構造を有する』ことを特徴とする。これによれば、光の屈折率や鏡面反射率、熱伝導性、透明度、柔軟性、色など性質の異なる部材を複数重ね合わせることにより、単層構造のクッション材では実現し得ない外観や乗車感を実現することができる。
【００１６】
（１０）請求項１０に係る考案の自転車用サドルは、『前記カバー部材は、前記ベース部材の縁部に位置する部分が厚肉となっている』ことを特徴とする。これによれば、乗車時の摩擦により前記カバー部材が磨耗や破損することが防止することができる。
ここで、前記縁部を厚肉にする方法としては、前記カバー部材の縁部に位置する部分を他の部分よりも厚肉に形成したものであっても、前記縁部に位置する部分に別部材からなる補強部材を貼り合わせたものであってもよい。
【００１７】
（１１）請求項１１に係る考案の自転車用サドルは、『前記クッション材又はカバー部材は、着色されている』ことを特徴とする。これによれば、前記鏡面反射層に映った像や前記ベース部材に施された色彩と、前記クッション材又はカバー部材の色とが重ね合わされるから、自転車用サドルの外観に多様性が生まれる。
ここで、前記クッション材及びカバー部材の着色は、太陽光を透過可能な透明又は半透明なものに限られる。また、単色又は複数色によってグラデーション状に着色するものであってもよい。
【考案の効果】
【００１８】
以上のように、請求項１に係る考案によれば、透明又は半透明のカバー部材及びクッション材と、光沢を有するように鏡面反射層を形成したベース部材とから構成することにより、自転車用サドルに降り注ぐ太陽光及び地面の照り返しや外気温等からの輻射熱を前記ベース部材の鏡面反射層において反射して、サドル本体に熱が蓄積されることを防止することができるから、外部環境によるサドル本体の高温化を防止することができる。
また、自転車の周囲環境によって前記サドル本体に映り込む像が変化されるから、自転車用サドルの外観が多様性や意外性に富んだものとなる。
【００１９】
請求項２に係る考案によれば、ベース部材に直に鏡面反射材を積層することにより、サドル本体の構造が簡単であるから自転車用サドルの製造が容易であると共に、前記ベース部材に映り込んだ像が乱れることがないから、自転車用サドルの外観が優れている。
請求項３に係る考案によれば、ベース本体と鏡面反射シートとからなるベース部材とすることにより、前記ベース部材の材質によって塗装材等の成分や塗装等の方法を変更する必要がないから、自転車の用途に合わせて前記ベース部材を自由に選択することができる。
【００２０】
請求項４に係る考案によれば、ベース本体と鏡面反射シートとの間に補助クッション材を挿入することにより、自転車用サドルのクッション性及び衝撃吸収性が向上されるから、乗車感が優れている。
請求項５に係る考案によれば、ベース部材の熱を放熱可能な熱伝導性を有するクッション材とすることにより、前記クッション材に熱が蓄積されにくいと共に、前記ベース部材に蓄積される熱を小さく抑えることができるから、外部環境によるサドル本体の高温化を防止することができる。
【００２１】
請求項６に係る考案によれば、ベース部材、クッション材、カバー部材をすべて透明又は半透明とすることにより、自転車用サドルを通して反対側を透視することができるから、自転車用サドルの外観が優れている。また、サドル本体に熱が蓄積されにくいから、外部環境による高温化も防止することができる。
【００２２】
請求項７に係る考案によれば、ゲル状物質からなるクッション材とすることにより、使用者を安定的に支持できるから、自転車用サドルの乗車感が優れている。また、ベース部材に蓄積された熱の放熱効率がよいから、外部環境によるサドル本体の高温化を防止することができる。
請求項８に係る考案によれば、少なくとも水と同じ程度の屈折率を有するクッション材とすることにより、前記鏡面反射層に映り込む像や、前記ベース部材のデザイン等が角度や方向によって外観がより複雑に変化されるから、自転車用サドルの外観が優れている。
【００２３】
請求項９に係る考案によれば、多層構造を有するクッション材とすることにより、単層構造では実現し得ない前記サドル本体の外観、乗車感を実現することができるから、より優れた自転車用サドルを設計することができる。また、複数のシート部材を積層することで、容易に且つ低コストで乗車感を損ねることなく高温化の防止を図ることができる。
【００２４】
請求項１０に係る考案によれば、カバー部材の縁部に位置する部分を厚肉とすることにより、前記カバー部材が磨耗や破損することが防止することができるから、自転車用サドルの耐久性が高い。
請求項１１に係る考案によれば、色付きのクッション材又はカバー部材とすることにより、自転車用サドルの外観に多様性が生じさせることができるから、外観に優れている。
【考案を実施するための最良の形態】
【００２５】
以下に、本考案実施の形態について添付図面を参照しながら説明する。
＜実施の形態１＞
本考案実施の形態の一例の自転車用サドルを図１に示している。
このものは、乗車時に荷重を支持するベース部材２と、前記ベース部材２に重ね合わされる透明なクッション材３と、前記クッション材３を被覆する透明なカバー部材４とからなるサドル本体１０と、前記サドル本体１０を自転車本体８に取り付けるための取付け部材５とから構成されている。この例の自転車用サドル１は、自転車レースなどの競技用自転車に用いられるものであり、通常の自転車と比較して前記サドル本体１０が前後に長くなっている。また、前記ベース部材２の後部にはロゴＬがプリントされている。
【００２６】
前記ベース部材２は、硬質性の合成樹脂材から形成されており、表面には鏡面反射率が高く且つ拡散反射率が低いクロムメッキ調の鏡面反射材を塗装することによって、鏡のような光沢を有する鏡面反射層２０が形成されている。
前記クッション材３は、透明なゲルシートからなっており、図２に示されるように、前記ベース部材２全域を覆うように密着状態で重ね合わされている。前記クッション材３は、艶消し加工が施された塩化ビニル製の透明なカバー部材４によって被覆されており、前記カバー部材４の端縁は前記ベース部材２の裏面側に留め付けられている。この例において、前記クッション材３は、前記ベース部材２の熱を外部に放熱し得る熱伝導性を有しており、３〜５ｍｍ程度の厚みを有するように形成されている。
【００２７】
このような構成であるから、この例の自転車用サドル１を備えた自転車を、太陽光の当たる場所に置いた場合、降り注ぐ太陽光は、前記カバー部材４及びクッション材３に吸収されることなく、前記ベース部材２まで透過されるから、従来例の多孔質性のクッション材３からなるもののように、太陽光の光エネルギーが前記クッション材３内に熱として蓄積されにくい。前記ベース部材２まで透過された太陽光は、前記ベース部材２の鏡面反射層２０において大部分が反射されて、前記クッション材３及びカバー部材４を通って外部へと跳ね返されるから、前記ベース部材２にも熱が蓄積されにくい。
【００２８】
また、太陽光と同様にして、地面の照り返しや外気温等からの輻射熱も前記ベース部材２の鏡面反射層２０によって反射されるから、前記サドル本体１０は外部の熱も吸収しにくい。
さらに、前記ベース部材２に蓄積された熱を前記クッション材３の熱伝導性によって吸収し、外部へ効率よく放熱することができるから、前記サドル本体１０に蓄積される熱を小さく抑えることができる。
【００２９】
これより、この例の自転車用サドル１は、太陽光の光エネルギー及び外部の輻射熱がサドル本体１０に蓄積されることを防止できると共に、前記ベース部材２に蓄積された熱を効率よく外部に放熱することもできるから、外部環境によるサドル本体１０の高温化を防止することができる。
この例のものでは、図３に示されるように、前記ベース部材２の鏡面反射層２０に周囲の景色が映り込むから、周囲の景色や動静に応じて前記サドル本体１０の外観が万華鏡のように変化されることになる。そのため、自転車用サドル１の外観が優れている。
【００３０】
また、このものでは、前記ベース部材２に直に鏡面反射材を塗装しているから、前記サドル本体１０の構造が簡単であり自転車用サドル１の製造が容易であると共に、鏡面反射シート７を採用するもののように、シートの撚れやシワによって前記サドル本体１０に映り込んだ像が乱れることがなく像が鮮明であるから、自転車用サドル１の外観が優れている。
また、前記ベース部材２の表面に、前記クッション材３及びカバー部材４が重ね合わせているから、前記クロムメッキ調の鏡面反射材やロゴＬが摩擦や風化等により剥げ落ちることがなく、長期にわたって自転車用サドル１の外観を美しい状態に維持することができる。
【００３１】
＜実施の形態２＞
図４には、鏡面反射層２０を有する鏡面反射シート７を被覆させたベース部材２と、屈折率の高いクッション材３とを用いた自転車用サドル１を示している。
このものは、合成樹脂製のベース本体２１と、光沢を有する鏡面反射シート７と、前記ベース本体２１と鏡面反射シート７との間に挿入されるウレタン製の補助クッション材６とからなるベース部材２と、前記ベース部材２全域を覆う透明なクッション材３と、前記クッション材３を被覆する透明なカバー部材４とから構成されている。
【００３２】
前記鏡面反射シート７は、クロムメッキ調の塗装によって表面に鏡面反射層２０が形成された塩化ビニル製のシート材からなり、前記鏡面反射層２０は、前述の実施の形態１と同様に、鏡面反射率が高く、拡散反射率が低いという特徴を有している。
前記補助クッション材６は、従来の自転車用サドル１のクッション材３として用いられていた多孔質性のウレタン材から形成されているが、熱伝導性の低い合成樹脂製のベース部材２と鏡面反射シート７との間に挿入されているから、太陽光や外気温等によって温度が上昇されにくい。
【００３３】
前記クッション材３は高密度のゲル物質からなるゲルシートであり、水よりも大きな光の屈折率を有している。
前記カバー部材４は、透明な塩化ビニル製のシートからなっており、この例のものでは、乗車時及び走行時に摩擦量が大きい前記ベース部材２の縁部に位置する部分４０の肉厚を他の箇所よりも２倍程度の厚みになるように形成している。
【００３４】
この例の自転車用サドル１を備えた自転車を、太陽光の当たる場所に置いた場合、降り注ぐ太陽光は、前記カバー部材４及び前記クッション材に吸収されることなく透過され、前記ベース部材２の鏡面反射層２０によって反射されて跳ね返される。そのため、前述の実施の形態１と同様に、この例の自転車用サドル１は、太陽光の光エネルギー及び外部の輻射熱がサドル本体１０に蓄積されることを防止できるから、外部環境によるサドル本体１０の高温化を防止することができる。
【００３５】
また、太陽光が前記クッション材３において屈折されることにより、前記ベース部材２に映り込む像が屈折によるレンズ効果により歪曲され、見る角度や方向によって前記ベース部材２に映り込んだ像が拡大されたり縮小されて見える。これにより、前述した実施の形態１のように、前記球面反射層２０に普通に映り込むものに比べて、前記サドル本体１０の外観の変化が複雑であり、自転車用サドル１の外観が多様性及び意外性に富んだものとなる。
【００３６】
この例のものでは、前記ベース本体２１を鏡面反射シート７によって被覆しているから、前記ベース部材２に直に塗装する場合のように、前記ベース部材２の材質に合わせて塗装材等を調整したり、塗装等の方法を変更する必要がないから、自転車の用途や使用者に合わせて前記ベース本体２１を自由に選択することができる。また、前記ベース本体２１と鏡面反射シート７との間に補助クッション材６を挿入しているから、自転車用サドル１のクッション性及び衝撃吸収性が高く、乗車感が優れている。
この例のものでは、前記ベース部材２の縁部に位置するカバー部材４を部分的に厚肉にしているから、前記カバー部材４が磨耗や破損されにくく、自転車用サドル１の耐久性が高い。
【００３７】
＜実施の形態３＞
図５には、多層構造を有するクッション材３を用いた自転車用サドル１を示している。
この例の自転車用サドル１に用いられるクッション材３は、薄肉の塩化ビニル製のカラーシート３１，３２と、厚肉の透明なゲルシート３３とが積層された三層構造となっており、前記カラーシート３１，３２は、グラデーションを有するようにそれぞれ異なる色によって着色されている。この例ものでは、前記クッション材３以外の構成については前述の実施の形態１と同じである。
【００３８】
このような構成であるから、この例の自転車用サドル１は、前記カラーシート３１，３２の二色によるグラデーションがかかった鏡面光沢を有するから、前記ベース部材２の鏡面反射層２０に映り込む像にカラーシート３１,３２の色が反映され、前記サドル本体１０の外観が変化される。また、自転車の周囲に映り込む像が存在しない場合や、周囲の景色が色彩に乏しい場合にも、前記サドル本体１０に映り込む像はカラフルなものになるから、自転車用サドル１の外観が優れている。
【００３９】
＜実施の形態４＞
図６には、表面にデザイン性の高い模様が施されたベース部材２と、太陽光を屈折可能な透明なクッション材３とを用いた自転車用サドル１を示している。
この例の自転車用サドル１は、硬質性の合成樹脂材からなるベース部材２と、前記ベース部材２全域を覆う透明なクッション材３と、前記クッション材３を被覆する透明なカバー部材４とからなるサドル本体１０と、前記サドル本体１０を自転車に取り付けるための取付け部材５とから構成されている。このものは、前記ベース部材２の表面に鏡面反射層が形成されていない点以外については、前述の実施の形態１とほぼ同じである。
【００４０】
前記ベース部材２は、硬質性の合成樹脂材からなり、太陽光を鏡面反射及び透過し得ない色で着色された表面にデザイン性の高い模様Ｐが描かれている。
このような構成であるから、この例の自転車用サドル１を備えた自転車を、太陽光の当たる場所に置いた場合、太陽光は前記カバー部材４及びクッション材３を透過して、前記クッション材３に熱として蓄積されることがない。また、前記ベース部材２に蓄積された熱は、前記クッション材３の熱伝導性により、効率よく外部へと放熱される。
これにより、外部環境によるサドル本体１０の高温化を防止することができる。
【００４１】
＜実施の形態５＞
図７には、透明なベース部材２と、透明なクッション材３と、透明なカバー部材４とから構成される自転車用サドル１を示している。
この例の自転車用サドル１は、前記ベース部材２が透明なポリカーボネートから形成されている点以外については、前述の実施の形態４とほぼ同じである。
【００４２】
このように前記サドル本体１０が完全に透明な構成となっているから、図７に示されるように、サドル本体１０を通して、取付け部材５や取付け部、前記取付け部材５と自転車本体との連結部（図示しない）等の通常は見ることができない構造部分を透視することができる。また、前記サドル本体１０を通して反対側の景色を透視できると共に、前記クッション材３における屈折により透視される景色が凸レンズを介して見るように歪曲されるから、自転車用サドルの外観が優れている。
この例のものでは、太陽光が吸収されることなく前記カバー部材４、クッション材３及びベース部材２を透過するから、前記サドル本体１０に太陽光が熱として蓄積されることがなく、外部環境によるサドル本体１０の高温化を防止することができる。
【００４３】
＊その他
本考案の自転車用サドルは上記した実施の形態に限られるものではない。
前述の例においては、前記クッション材３は透明なゲルシートからなっているが、外力によってゲルと同様に容易に変形可能な弾性を有する物質であれば、シリコン樹脂や軟質性合成樹脂、ゴム等からなるものであってもよい。また、太陽光の光エネルギー吸収し、熱として蓄積しにくいものであれば、前記クッション材３は半透明であっても着色されたものであってもよい。
【００４４】
実施の形態３では、着色の異なるカラーシート３１,３２と透明なゲルシート３３とを積層した三層構造となっているが、複数の透明なゲルシートを積層したものや、カラーシートとドットや水玉等の模様が施された模様シートとを積層したものなど、素材や透明度、反射率等の性質の異なるゲル状物質を積層させた構造であってもよい。
【００４５】
また、前記クッション材３は、前記ベース部材２全域を覆うように重ね合わされているが、前記ベース部材２自体が乗車に十分な弾性や柔軟性を有するものである場合には、太陽光があたる表面部分や乗車時に使用者と接触する部分など、前記サドル本体１０の高温化の防止に効果的な部分のみに前記クッション材３を配置させるものであってもよい。
前述の例において、前記カバー部材４の表面は、乗車時の滑り止めを防止して乗車感を向上させるために艶消し加工が施されているが、自転車用サドル１のデザイン性を向上させるために艶のあるカバー部材４を用いてもよい。
【図面の簡単な説明】
【００４６】
【図１】本考案実施の形態１の自転車用サドルを示す斜視図である。
【図２】図１の自転車用サドルの断面図である。
【図３】自転車用サドルへの周囲の景色の映込みを示す説明図である。
【図４】本考案実施の形態２の自転車用サドルを示す断面図である。
【図５】本考案実施の形態３の自転車用サドルに用いられるサドル本体の積層状態を示す説明図である。
【図６】本考案実施の形態４の自転車用サドルを示す斜視図である。
【図７】本考案実施の形態５の自転車用サドルを示す斜視図である。
【図８】従来の自転車用サドルである。
【符号の説明】
【００４７】
１    自転車用サドル
１０  サドル本体
２    ベース部材
２０  鏡面反射層
３    クッション材
４    カバー部材
５    取付け部材
６    補助クッション材
７    鏡面反射シート
８    自転車本体
【図１】
0003102506.tif 000003
【図２】
0003102506.tif 000004
【図３】
0003102506.tif 000005
【図４】
0003102506.tif 000006
【図５】
0003102506.tif 000007
【図６】
0003102506.tif 000008
【図７】
0003102506.tif 000009
【図８】
0003102506.tif 000010